(57)【要約】【課題】  ユーザの意図に反してカメラからテレビに画像データが送信されてしまったり、またユーザが画像データの送信中かどうかを判定することができないという問題がある。【解決手段】  無線により画像情報を送信可能なデジタルカメラ１０４と、デジタルカメラ１０４から供給される画像情報に基づいて画像を表示する画像表示デバイス１０１，１０１２と、デジタルカメラ１０４による無線通信可能領域１０５を識別可能に照明する照明機器１０３とを有し、デジタルカメラ１０４が無線通信可能領域１０５に置かれたことを検知すると、デジタルカメラ１０４から画像表示デバイス１０１，１０２への画像情報の送信を許可する。【選択図】  図１
2006166406.tif 000002
【特許請求の範囲】
【請求項１】
無線により画像情報を送信可能な画像供給デバイスと、
前記画像供給デバイスから供給される画像情報に基づいて画像を表示する画像表示デバイスと、
前記画像供給デバイスによる無線通信可能領域を識別可能に照明する照明機器と、
前記画像供給デバイスが前記無線通信可能領域に存在することを検知すると、前記画像供給デバイスから前記画像表示デバイスへの画像情報の送信を制御する制御手段と、
を有することを特徴とする画像表示システム。
【請求項２】
前記照明機器は更に、
前記画像供給デバイスとの間で無線による交信を行う無線通信手段と、
前記無線通信手段からの信号に基づき前記画像供給デバイスと前記画像表示デバイスとの間での無線通信の開始を指示する手段とを備えることを特徴とする請求項１に記載の画像表示システム。
【請求項３】
前記照明機器は更に、前記画像供給デバイスと前記画像表示デバイスとの間の通信状況を識別可能に照明することを特徴とする請求項１に記載の画像表示システム。
【請求項４】
前記照明機器は室内に設置されており、当該室内の他の照明器具への点灯操作に応じて点灯することを特徴とする請求項１に記載の画像表示システム。
【請求項５】
前記照明機器は室内に設置されており、前記画像表示デバイスの電源オンに応じて点灯することを特徴とする請求項１に記載の画像表示システム。
【請求項６】
前記画像供給デバイスが前記照明機器の照射領域に入っているか否かを認識する手段と、
前記画像供給デバイスが前記照射領域に入っていると認識されると前記画像供給デバイスから前記画像表示デバイスへの画像情報の送信を許可する手段とを更に有することを特徴とする請求項１に記載の画像表示システム。
【請求項７】
前記照明機器は、照明形態異ならせて発光可能で、
前記画像供給デバイスは、いずれの照明形態の照射領域に入っているかを検知する検知手段を備え、
前記画像供給デバイス及び前記画像表示デバイスの少なくともいずれかは、前記検知手段による検知結果に応じて前記画像情報の処理内容を変更することを特徴とする請求項１に記載の画像表示システム。
【請求項８】
前記照明形態として、色を異ならせており、前記検知手段は前記色を検知することを特徴とする請求項７に記載の画像表示システム。
【請求項９】
前記照明形態として、照射領域の形状を異ならせており、、前記検知手段は当該照射領域の形状を検知することを特徴とする請求項７に記載の画像表示システム。
【請求項１０】
前記照明形態として、発光周期を異ならせており、前記検知手段は当該発光周期を検知することを特徴とする請求項７に記載の画像表示システム。
【請求項１１】
前記照明手段は、複数の発光手段を有し、それぞれの発光手段による照明形態が異なることを特徴とする請求項７に記載の画像表示システム。
【請求項１２】
前記照明機器は更に、前記画像供給デバイスが前記照射領域に入っているか否かに応じて照明方法を識別可能に切り替えることを特徴とする請求項６に記載の画像表示システム。
【請求項１３】
前記照明機器は更に、前記画像供給デバイスが前記照射領域に入っているか否かに応じて、いずれかの照明手段の照射領域を変更することを特徴とする請求項７に記載の画像表示システム。
【請求項１４】
無線により画像情報を送信可能な画像供給デバイスと、前記画像供給デバイスから供給される画像情報に基づいて画像を表示する画像表示デバイスと、前記画像供給デバイスによる無線通信可能領域を識別可能に照明する照明機器とを有する画像表示システムの制御方法であって、
前記画像供給デバイスが前記無線通信可能領域に置かれたことを検知する検知工程と、
前記検知工程で前記無線通信可能領域に前記画像供給デバイスが存在することを検知すると前記画像供給デバイスとの無線通信を確立する工程と、
前記画像供給デバイスとの無線通信の確立に応じて、前記画像表示デバイスと前記画像供給デバイスとの間での画像通信を制御する制御工程と、
を有することを特徴とする画像表示システムの制御方法。
【請求項１５】
更に、前記画像供給デバイスと前記画像表示デバイスとの間の通信状況を識別可能に前記照明機器により照明させる工程を有することを特徴とする請求項１４に記載の画像表示システムの制御方法。
【請求項１６】
前記照明機器は室内に設置されており、当該室内の他の照明器具への点灯操作に応じて前記照明機器を点灯する工程を更に有することを特徴とする請求項１４に記載の画像表示システムの制御方法。
【請求項１７】
前記照明機器は室内に設置されており、前記画像表示デバイスの電源オンに応じて前記照明機器を点灯する工程を更に有することを特徴とする請求項１４に記載の画像表示システムの制御方法。
【請求項１８】
前記画像供給デバイスが前記照明機器の照射領域に入っているか否かを認識する工程と、
前記画像供給デバイスが前記照射領域に入っていると認識されると前記画像供給デバイスから前記画像表示デバイスへの画像情報の送信を許可する工程とを更に有することを特徴とする請求項１４に記載の画像表示システムの制御方法。
【請求項１９】
前記照明機器は、照明形態を異ならせて発光可能で、前記画像供給デバイスは、いずれの照明形態の照射領域に入っているかを検知し、前記画像供給デバイス及び前記画像表示デバイスの少なくともいずれかは、前記照明形態の検知結果に応じて前記画像情報の処理内容を変更することを特徴とする請求項１４に記載の画像表示システムの制御方法。
【請求項２０】
前記照明形態として、色を異ならせており、前記画像供給デバイスは前記色を検知することを特徴とする請求項１９に記載の画像表示システムの制御方法。
【請求項２１】
前記照明形態として、照射領域の形状を異ならせており、前記画像供給デバイスは当該照射領域の形状を検知することを特徴とする請求項１９に記載の画像表示システムの制御方法。
【請求項２２】
前記照明形態として、発光周期を異ならせており、前記画像供給デバイスは当該発光周期を検知することを特徴とする請求項１９に記載の画像表示システムの制御方法。
【請求項２３】
前記照明機器は、複数の発光手段を有し、それぞれの発光手段による照明形態が異なることを特徴とする請求項１９に記載の画像表示システムの制御方法。
【請求項２４】
前記照明機器は更に、前記画像供給デバイスが前記照射領域に入っているか否かに応じて照明方法を識別可能に切り替えることを特徴とする請求項１４に記載の画像表示システムの制御方法。
【請求項２５】
前記照明機器は更に、前記画像供給デバイスが前記照射領域に入っているか否かに応じて、いずれかの光源の照射領域を変更することを特徴とする請求項１９に記載の画像表示システムの制御方法。
【請求項２６】
無線により画像情報を送信可能な画像供給デバイスと通信する通信手段と、
前記画像供給デバイスによる無線通信可能領域を識別可能に照明するための照明機器を制御する照明制御手段と、
前記通信手段を介して、前記無線通信可能領域に侵入している前記画像供給デバイスから画像データを受信する受信手段と、
を有することを特徴とする画像処理装置。
【請求項２７】
更に、前記画像供給デバイスが前記無線通信可能領域に侵入していることを検知する検知手段と、前記検知手段の検知結果に応じて、画像供給デバイスに対して、画像データの送信を要求する要求手段とを有することを特徴する請求項２６に記載の画像処理装置。
【請求項２８】
更に、前記画像供給デバイスが照明機器の照射領域に入っているか否かを認識する手段を備え、前記画像供給デバイスが照射領域に入っていることを認識すると、画像供給デバイスに対して、画像データの送信を要求する要求手段とを有することを特徴とする請求項２７に記載の画像処理装置。
【請求項２９】
更に、前記画像供給デバイスが、無線通信可能領域を識別可能に照明するための複数の照射領域のうち、どの照射領域に入っているかを認識する手段を備えるとき、前記照射領域の認識結果に応じて画像供給手順、供給する画像情報、画像処理装置での画像情報の処理内容の少なくともひとつを切り替えることを特徴とする請求項２６記載の画像処理装置。
【請求項３０】
更に、受信した画像データを表示する表示ユニットを有することを特徴する請求項２６乃至２９のいずれか１項に記載の画像処理装置。
【請求項３１】
無線により画像情報を送信可能な画像供給デバイスと通信する通信工程と、
前記画像供給デバイスによる無線通信可能領域を識別可能に照明するための照明機器を制御する照明制御工程と、
前記無線通信可能領域に侵入している前記画像供給デバイスから画像データを受信する受信工程と、
を有することを特徴とする画像処理装置の制御方法。
【請求項３２】
更に、前記画像供給デバイスが、照明機器の照射領域に入っているか否かを認識する手段を備えるとき、前記画像供給デバイスが照射領域に入っていることを認識すると、画像供給デバイスへ画像データの送信を要求する工程を有することを特徴とする請求項３１記載の画像処理装置の制御方法。
【請求項３３】
更に、前記画像供給デバイスが、無線通信可能領域を識別可能に照明するための複数の照射領域ののうち、どの照明手段の照射領域に入っているかを認識する手段を備えるとき、前記照射領域の認識結果に応じて画像供給手順、供給する画像情報、画像処理装置での画像情報の処理内容の少なくともひとつを切り替える工程を有することを特徴とする請求項３１記載の画像処理装置の制御方法。
【請求項３４】
無線により画像情報を受信可能な画像処理装置と通信する通信手段と、
前記画像処理装置との無線通信が可能な無線通信可能領域を示す、照明機器による照射領域に入っているか否かを検知する検知手段と、
前記検知手段により前記照射領域に入っていると検知すると前記通信手段を介して前記画像処理装置に画像データを送信する送信手段と、
を有することを特徴とする画像供給デバイス。
【請求項３５】
無線により画像情報を受信可能な画像処理装置と通信する通信手段と、
前記通信手段を介して、無線通信可能領域に侵入すると前記画像処理装置に画像データを送信する送信手段と、
複数の前記無線通信可能領域を識別可能に照明する照明手段の複数の照射領域のいずれに存在するかを識別する識別手段と、
を有することを特徴とする画像供給デバイス。
【請求項３６】
前記識別手段による識別結果に応じて画像情報の供給手順、供給する画像情報、画像表示デバイスでの画像情報の処理内容の少なくともいずれかを切り替えることを特徴とする請求項３５記載の画像供給デバイス。
【請求項３７】
無線により画像情報を受信可能な画像処理装置と通信する通信工程と、
前記画像処理装置との無線通信が可能な無線通信可能領域を示す、照明機器による照射領域に入っているか否かを検知する検知工程と、
前記検知工程で前記照射領域に入っていると検知すると前記通信手段を介して前記画像処理装置に画像データを送信する送信工程と、
を有することを特徴とする画像供給デバイスの制御方法。
【請求項３８】
無線により画像情報を受信可能な画像処理装置と通信する通信工程と、
前記通信工程において無線通信可能領域に侵入すると前記画像処理装置に画像データを送信する送信工程と、
複数の前記無線通信可能領域を識別可能に照明する照明手段の複数の照射領域のいずれに置かれたかを識別する識別工程と、
を有することを特徴とする画像供給デバイスの制御方法。
【請求項３９】
前記識別工程での識別結果に応じて画像情報の供給手順、供給する画像情報、画像表示デバイスでの画像情報の処理内容の少なくともいずれかを切り替える工程を更に有することを特徴とする請求項３８記載の画像供給デバイスの制御方法。
【請求項４０】
無線により画像情報を画像処理装置に送信可能な画像供給デバイスと通信する通信手段と、
前記画像供給デバイスによる無線通信可能領域を識別可能に照明する少なくとも２つの照明手段と、
前記画像供給デバイスがどの照明手段の照射領域に入っているかを認識した結果に応じて、画像情報の供給手順、供給する画像情報、画像処理装置での画像情報の処理内容の少なくともいずれかを切り替えるように制御する手段と、
を有することを特徴とする照明装置。
【請求項４１】
無線により画像情報を画像処理装置に送信可能な画像供給デバイスと通信する工程と、
前記画像供給デバイスによる無線通信可能領域を識別可能に照明する工程と、
少なくとも２つの照明手段を制御する工程と、
前記画像供給デバイスがどの照明手段の照射領域に入っているかを認識した結果に応じて、画像情報の供給手順、供給する画像情報、画像処理装置での画像情報の処理内容の少なくともいずれかを切り替えるように制御する工程と、
を有することを特徴とする照明装置の制御方法。
【請求項４２】
請求項１８乃至２５及び３２乃至３３及び３７乃至３９及び４１のいずれか１項に記載の制御方法を実行するプログラムを記憶していることを特徴とする、コンピュータにより読み取り可能な記憶媒体。
【発明の詳細な説明】
【技術分野】
【０００１】
本発明は、デジタルカメラやデジタルビデオカメラ等の撮像装置から画像データを無線で受信して表示する画像表示システム及びその制御方法、更には、画像処理装置及び照明装置とその制御方法に関するものである。
【背景技術】
【０００２】
デジタルカメラで撮影された画像を記憶しているメモリカードを直接装着して、或はＵＳＢ等のインターフェースを介してメモリカードに記憶されている画像情報を読み取ってハードディスクなどの記憶装置に記憶できる。またメモリーカードから読み取った画像を、テレビ画面に表示できるビデオデッキやテレビジョンが市販されている。
【０００３】
このような装置では、メモリカードの着脱やＵＳＢケーブルの接続といった手間が必要になるため、ケーブルを使用せずに簡単に画像情報の送受信を行うことができる撮像装置として、無線による画像情報の送信を可能にしたデジタルカメラが販売されている。
【０００４】
このような無線による画像データの送受信に関して、特許文献１には、近距離無線通信によるドッキングを行った後、接続のための手続を行って、その後、目的の無線接続を可能にする無線データ通信確立方法が提案されている。また特許文献２には、撮影装置が無線通信可能エリア内にあるか否かを検出し、無線通信可能エリア内にある場合にのみ画像データの送信を実行する撮影装置が記載されている。
【特許文献１】特許登録０３４２２６８３号
【特許文献２】特開２００４−２６０３０６
【発明の開示】
【発明が解決しようとする課題】
【０００５】
ホームユースでのデジタルカメラを使用する状況を考えると、例えば居間に、無線によりデジタルカメラからの画像情報を受信できるテレビジョン受像機が設置されていて、デジタルカメラがその居間に持ち込まれると自動的にデジタルカメラからテレビジョン受像機に画像データが送信されるように設定されているとする。このような場合には、ユーザの意図に反してカメラからテレビに画像データが送信されてしまったり、またユーザは画像データの送信中かどうかを判定することができないという問題がある。
【０００６】
本発明の目的は、上記従来技術の問題点を解決することを目的とする。
【０００７】
本願発明の特徴は、撮像装置が無線通信可能な領域に設置されているかどうかを容易に判別できる画像表示システム及びその制御方法と、画像処理装置及び照明装置とその制御方法を提供することにある。
【０００８】
また本発明の他の特徴は、無線通信中の状況を容易に判別できる画像表示システム及びその制御方法、画像供給デバイス及びその制御方法と、画像処理装置及び照明装置とその制御方法を提供することにある。
【０００９】
また本発明の他の特徴は、撮像装置から表示装置に画像データを送信した後に、その表示装置における画像データの処理方法をユーザが容易に指示できる画像表示システム及びその制御方法、画像供給デバイス及びその制御方法、画像処理装置及び照明装置とその制御方法を提供することにある。
【課題を解決するための手段】
【００１０】
本発明の一態様に係る画像表示システムは以下のような構成を備える。即ち、
無線により画像情報を送信可能な画像供給デバイスと、
前記画像供給デバイスから供給される画像情報に基づいて画像を表示する画像表示デバイスと、
前記画像供給デバイスによる無線通信可能領域を識別可能に照明する照明機器と、
前記画像供給デバイスが前記無線通信可能領域に存在することを検知すると、前記画像供給デバイスから前記画像表示デバイスへの画像情報の送信を制御する制御手段と、
を有することを特徴とする。
【００１１】
本発明の一態様に係る画像表示システムの制御方法は以下のような工程を備える。即ち、
無線により画像情報を送信可能な画像供給デバイスと、前記画像供給デバイスから供給される画像情報に基づいて画像を表示する画像表示デバイスと、前記画像供給デバイスによる無線通信可能領域を識別可能に照明する照明機器とを有する画像表示システムの制御方法であって、
前記画像供給デバイスが前記無線通信可能領域に置かれたことを検知する検知工程と、
前記検知工程で前記無線通信可能領域に前記画像供給デバイスが存在することを検知すると前記画像供給デバイスとの無線通信を確立する工程と、
前記画像供給デバイスとの無線通信の確立に応じて、前記画像表示デバイスと前記画像供給デバイスとの間での画像通信を制御する制御工程と、
を有することを特徴とする。
【００１２】
本発明の一態様に係る画像処理装置は以下のような構成を備える。即ち、
無線により画像情報を送信可能な画像供給デバイスと通信する通信手段と、
前記画像供給デバイスによる無線通信可能領域を識別可能に照明するための照明機器を制御する照明制御手段と、
前記通信手段を介して、前記無線通信可能領域に侵入している前記画像供給デバイスから画像データを受信する受信手段とを有することを特徴とする。
【００１３】
本発明の一態様に係る画像処理装置の制御方法は以下のような工程を備える。即ち、
無線により画像情報を送信可能な画像供給デバイスと通信する通信工程と、
前記画像供給デバイスによる無線通信可能領域を識別可能に照明するための照明機器を制御する照明制御工程と、
前記無線通信可能領域に侵入している前記画像供給デバイスから画像データを受信する受信工程とを有することを特徴とする。
【００１４】
本発明の一態様に係る画像供給デバイスは以下のような構成を備える。即ち、
無線により画像情報を受信可能な画像処理装置と通信する通信手段と、
前記画像処理装置との無線通信が可能な無線通信可能領域を示す、照明機器による照射領域に入っているか否かを検知する検知手段と、
前記検知手段により前記照射領域に入っていると検知すると前記通信手段を介して前記画像処理装置に画像データを送信する送信手段とを有することを特徴とする。
【００１５】
本発明の一態様に係る画像供給デバイスの制御方法は以下のような工程を備える。即ち、
無線により画像情報を受信可能な画像処理装置と通信する通信工程と、
前記画像処理装置との無線通信が可能な無線通信可能領域を示す、照明機器による照射領域に入っているか否かを検知する検知工程と、
前記検知工程で前記照射領域に入っていると検知すると前記通信手段を介して前記画像処理装置に画像データを送信する送信工程とを有することを特徴とする。
【００１６】
本発明の一態様に係る照明装置は以下のような構成を備える。即ち、
無線により画像情報を画像処理装置に送信可能な画像供給デバイスと通信する通信手段と、
前記画像供給デバイスによる無線通信可能領域を識別可能に照明する少なくとも２つの照明手段と、
前記画像供給デバイスがどの照明手段の照射領域に入っているかを認識した結果に応じて、画像情報の供給手順、供給する画像情報、画像処理装置での画像情報の処理内容の少なくともいずれかを切り替えるように制御する手段とを有することを特徴とする。
【００１７】
本発明の一態様に係る照明装置の制御方法は以下のような工程を備える。即ち、
無線により画像情報を画像処理装置に送信可能な画像供給デバイスと通信する工程と、
前記画像供給デバイスによる無線通信可能領域を識別可能に照明する工程と、
少なくとも２つの照明手段を制御する工程と、
前記画像供給デバイスがどの照明手段の照射領域に入っているかを認識した結果に応じて、画像情報の供給手順、供給する画像情報、画像処理装置での画像情報の処理内容の少なくともいずれかを切り替えるように制御する工程とを有することを特徴とする。
【発明の効果】
【００１８】
本発明によれば、撮像装置が無線通信可能な領域に設置されているかどうかを容易に判別できるという効果がある。
【００１９】
また本発明によれば、無線通信中の状況を容易に判別できるという効果がある。
【００２０】
また本発明によれば、撮像装置から表示装置に画像データを送信した後に、その表示装置における画像データの処理方法をユーザが容易に指示できるという効果がある。
【発明を実施するための最良の形態】
【００２１】
以下、添付図面を参照して本発明の好適な実施の形態を詳しく説明する。尚、以下の実施の形態は特許請求の範囲に係る発明を限定するものでなく、また本実施の形態で説明されている特徴の組み合わせの全てが発明の解決手段に必須のものとは限らない。
【００２２】
［実施の形態１］
図１は、本実施の形態を説明する図で、ここでは居間を表している。
【００２３】
図において、１０１はテレビジョン受像機である表示パネル（以下、ディスプレイ）である。１０２は地上波及びＢＳ／ＣＳ用のチューナ機能を含むセットトップボックス（ＳＴＢ）で、このＳＴＢ１０２から出力されるビデオ信号に基づいてディスプレイ１０１に画像が表示される。１０３は本実施の形態に係る照明機器で、デジタルカメラ１０４との無線通信が可能な領域１０５を照射している。１０６は通常の照明機器である。
【００２４】
ここで照明機器１０３は第１の無線通信手段（ZigBee）を備えており、デジタルカメラ１０４とＳＴＢ１０２との間でそれぞれ異なるチャネル（例えば、チャネル１(CH1)，チャネル５(CH5)）を使用して無線通信を行うことができる。この第１の無線通信手段（ZigBee）は、IEEE802.15.4に準拠しており、消費電力が少なく、低コストでネットワークを構築できるという利点がある。デジタルカメラ１０４は、照明機器１０３と無線通信を行う第１の無線通信手段（ZigBee）と、ＳＴＢ１０２との間で無線通信を行う第２の無線通信手段（WLAN）（例えば、802.11WLAN）とを備えている。更にＳＴＢ１０２は、デジタルカメラ１０４と無線通信を行う第２の無線通信手段（WLAN）、及び照明機器１０３との間で通信を行う第１の無線通信手段（ZigBee）を備えている。尚、ここではＳＴＢ１０２と照明機器１０３とは無線で通信を行うように説明したが本発明はこれに限定されるものでなく、ＳＴＢ１０２と照明機器１０３とは有線で接続されるか、或は一体に形成されていても良い。
【００２５】
尚、ここでチャネル１は、照明機器１０３とデジタルカメラ１０４との間で通信を行うためのものである。このチャネル1は、デジタルカメラ１０４がＳＴＢ１０２との間で無線ＬＡＮによる通信を開始する為の情報（ESSIDやWEPキー等）を通信する目的で使用される。なお、通信可能領域が居間の一部分に制限されるように、指向性を持たせたり、電界強度を制限するように構成されている。一方、チャネル２は、ＳＴＢ１０２や照明機器１０３のスイッチなどより広い範囲のデバイスと無線通信が行えるような構成となっている。
【００２６】
ここで、例えば人がこの居間に入りテレビジョン受像機及びＳＴＢ１０２の電源をオンにし、または照明機器１０６をオンにすると、ディスプレイ１０１，１０２或は照明機器１０６の電源オンに応じて照明機器１０３がオンになる。そして、デジタルカメラ１０４との無線通信が可能なエリア１０５が照射される。そこでデジタルカメラ１０４の電源をオンにしてそのエリア１０５内にデジタルカメラ１０４を置くと、デジタルカメラ１０４と照明機器１０３との間での無線通信が可能になる。このデジタルカメラ１０４がエリア１０５に置かれて無線通信が可能になったことを確認した照明機器１０３は、ＳＴＢ１０２に対してデジタルカメラ１０４が存在していることを通知する。
【００２７】
これによりＳＴＢ１０２から第２の無線通信手段を介したデジタルカメラ１０４との通信要求が発生すると、この通信要求はＳＴＢ１０２から照明機器１０３を介してデジタルカメラ１０４に通知される。これによりデジタルカメラ１０４とＳＴＢ１０２との間で、第２の無線通信手段を介した無線通信が確立されると、ＳＴＢ１０２の要求に従ってデジタルカメラ１０４からＳＴＢ１０２に対して、メモリカード等の記憶部に記憶されている画像情報が送信される。
【００２８】
照明機器１０３は、デジタルカメラ１０４との無線通信の接続確立待ち状態、接続確立中、デジタルカメラ１０４からＳＴＢ１０２へ画像情報の転送中、デジタルカメラ１０４との接続不可の状態のそれぞれに応じて、その照明の形態を変更する。この照明の形態には、例えば照明の色を変化させたり、点滅表示させたり、点滅の周期を変更したり、照明の輝度を変更したり、照明をオフにするなどの形態が含まれる。従ってユーザは、この照明機器１０３の照明の形態に基づいて、デジタルカメラ１０４からＳＴＢ１０２への画像情報の転送中であるか、デジタルカメラ１０４と照明機器１０３との接続が確立されているか等を容易に認識することができる。
【００２９】
また照明機器１０３を点灯させるのは、別の照明機器１０６の点灯に連動させても良く、或はＳＴＢ１０２の電源オンに連動させても良く、或はテレビジョンの電源オンに連動させても良い。またこの照明機器１０３が点灯している時間は、所定時間（例えば数分間）に限定しても良い。
【００３０】
またＳＴＢ１０２とテレビジョン受像機は一体でも良く、更には、照明機器１０３、ＳＴＢ１０２とテレビジョン受像機（ディスプレイ）とが一体に形成されていても良い。
【００３１】
またデジタルカメラ１０４とＳＴＢ１０２との無線通信が確立した後は、デジタルカメラ１０４が照明機器１０３との無線通信可能なエリア１０５から外に出ても、ＳＴＢ１０２との間での無線通信を継続できるようにしても良い。
【００３２】
図２は、本実施の形態に係るデジタルカメラ１０４の構成を示すブロック図である。
【００３３】
カメラ制御部１１は、このカメラ１０４全体の動作を統括して制御している。物理的にはＣＰＵと、このＣＰＵにより実行される制御プログラムを格納しているＲＯＭと、ＣＰＵによる制御処理の実行時に、各種データを一時的に保存するＲＡＭ等によって構成されている。このカメラ制御部１１における制御対象は、入力部１３からのシャッタ等のトリガを基にした撮像部１２における画像撮影、撮影した画像データを無線経由でＳＴＢ１０２に送信すること、照明機器１０３との無線通信、電源監視等である。
【００３４】
撮像部１２は、撮像素子（ＣＣＤ）と画像バッファメモリ等を含み、撮影した画像を、一時バッファメモリに保存した後に、カメラ制御部１１からの制御によって、メモリカード等の記憶媒体２０に記憶する。或は有線又は無線制御部を経由してカメラ１０４の外部に送信することができる。入力部１３は、ユーザにより操作されるスイッチやボタン等を含み、ＵＩを使用した操作、電源、シャッタ、カメラズーム等の操作を行うのに使用される。電池１４は、カメラ１０４全体への電力を供給する。尚、場合によっては、コネクタ１７を経由して外部に電力を供給するようにしてもよく、また外部から電力の供給を受けるようにしてもよい。電源監視部１５は、電池１４の電池容量を測定してカメラ制御部１１に通知する。
【００３５】
有線通信部１６は、コネクタ１７のコントローラの役割を果たし、コネクタの接続状況の監視も行い、この監視結果を、カメラ制御部１１に通知する。コネクタ１７は、複数の接続端子によって構成され、他の端末（例えばＰＣやプリンタ等）との間で、制御信号を受け渡し画像データを送信する。またこのコネクタ１７には、電源線等が含まれる。
【００３６】
無線通信部１８，１９は、無線通信に関する機能を有し、カメラ制御部１１から受信した信号を受け取り、ＲＦ信号に変調した後送信する。また受信したＲＦ信号を復調してカメラ制御部１１に渡す。ここで無線通信部１８は照明機器１０３との間での無線通信（第１の無線通信手段）を行い、無線通信部１９はＳＴＢ１０２との間での無線通信（第２の無線通信手段）を行う。
【００３７】
図３は、本実施の形態に係るＳＴＢ１０２と照明機器１０３との構成を説明するブロック図である。
【００３８】
まず最初にＳＴＢ１０２の構成について説明する。ＭＰＵ３０１は、このＳＴＢ１０２全体の動作を制御している。グラフィックコントローラ３０２は、ディスプレイ１０１に表示される映像に重畳される文字や図形などを生成してマルチスクリーン制御部３１２に出力する。ハードディスク（ＨＤ）３０３は、デジタルカメラ１０４から受信した画像及び録画した映像などを記憶している。赤外線インターフェース３０４は、リモコン３１６からの赤外線信号を受信して、それに応じた信号を発生してＭＰＵ３０１に知らせる。メモリ３０５は、ＭＰＵ３０１の制御動作時に各種データを一時的に保存するワークエリア（ＲＡＭ）を提供すると共に、ＭＰＵ３０１により実行されるプログラムを不揮発に記憶しするエリア（ＲＯＭ）を含んでいる。３０６は前述した第２の無線通信手段を構成しており、ＷＬＡＮでの無線通信を制御している。３０７は前述した第１の無線通信手段を構成しており、ZigBeeでの無線通信を制御している。ＢＳ／ＣＳデジタルチューナー３０８は、ＢＳ／ＣＳアンテナ３１５により受信した信号から同期を取った映像信号を抽出する。この信号はデコーダ３１１によりデスクランブル及び復号されて映像信号に変換されてマルチスクリーン制御部３１２に送られる。また地上波チューナー３０９は、アンテナ３１４により受信した信号から同期を取った映像信号を抽出する。この信号はＮＴＳＣデコーダ３１１０よりデコードされてマルチスクリーン制御部３１２に送られる。マルチスクリーン制御部３１２は、上述した各種映像信号をディスプレイインターフェース３１３に出力してディスプレイ１０１に表示する。
【００３９】
次に照明機器１０３の構成について説明する。
【００４０】
ＣＰＵ３２０は、メモリ３２０ａに記憶されたプログラムに従って、この照明機器１０３の動作を制御している。３２３は照明用の光源を示し、この光源３２３は、ＣＰＵ３２０の制御により、その発光色を変更したり、点滅することが可能である。３２１，３２２は、前述した第１の無線通信手段を構成しており、ZigBeeでの無線通信を制御している。これらの内の一方はＳＴＢ１０２との通信用、他方はデジタルカメラ１０４との通信用に使用される。
【００４１】
次に各機器の動作について説明する。
【００４２】
図４は、本実施の形態に係るＳＴＢ１０２の動作を説明するフローチャートで、この処理を実行するプログラムはメモリ３０５に記憶されておりＭＰＵ３０１の制御の下に実行される。
【００４３】
この処理はＳＴＢ１０２の電源がオンされることにより開始され、まずステップＳ１で、照明機器１０３に対してデジタルカメラ１０４が無線通信可能領域１０５に存在するかどうかを検知するカメラ検知処理を開始するように指示する。次にステップＳ２で、照明機器１０３を青色で点灯するように指示する。そしてステップＳ３で、照明機器１０３によりデジタルカメラ１０４が検知されるのを待つ。従って、デジタルカメラ１０４を検知するための処理を実行している間は照明機器１０３の発光色は青色となる。ユーザーは、照明機器１０３の発光色が青色である間は、デジタルカメラ１０４が無線通信可能領域１０５に存在するかどうかを検知するための処理を実行していることを容易に認識できる。
【００４４】
こうしてステップＳ３でカメラ１０４が検知されるとステップＳ４に進み、デジタルカメラ１０４との間で第２の無線通信手段（ＷＬＡＮ）による通信を行うように照明機器１０３に要求する。そしてステップＳ５で、照明機器１０３を黄色で点灯するように指示する。
【００４５】
これにより照明機器１０３からデジタルカメラ１０４に対して、第２の無線通信手段（ＷＬＡＮ）によりＳＴＢ１０２との間で無線通信を行うように指示が送られる。こうしてＳＴＢ１０２とデジタルカメラ１０４との間で、第２の無線通信手段（ＷＬＡＮ）による無線通信が確立するとステップＳ６からステップＳ７に進み、照明機器１０３に対してデジタルカメラ１０４の検知処理を終了するように通知する。これは、デジタルカメラ１０４との間でＷＬＡＮによる通信が開始した後は、デジタルカメラ１０４は必ずしも照明機器１０３と無線通信が可能な領域１０５に存在している必要がないためである。そしてステップＳ８に進み、照明機器１０３に対して橙色の点滅表示を行うように指示する。これにより照明機器１０３の点灯が黄色から橙色に変化して点滅表示になると、デジタルカメラ１０４とＳＴＢ１０２との間で無線通信が確立されたことを認識できる。
【００４６】
そしてステップＳ９で、ＷＬＡＮを介してデジタルカメラ１０４に対して画像データを要求する。これによりステップＳ１０で、デジタルカメラ１０４からの画像データの送信が開始され、受信した画像データをＨＤＤ３０３に記憶する。尚、このとき、必要に応じてディスプレイ１０１に画像データを転送してディスプレイ１０１に表示するようにしても良い。こうして画像データの受信が完了するとステップＳ１１に進み、照明機器１０３に対して照明の点滅を停止するように指示する。
【００４７】
このようにして照明機器１０３を介してデジタルカメラ１０４とＳＴＢ１０２との無線通信の確立、及び照明機器１０３の点灯制御、更には、別の無線通信によりデジタルカメラ１０４からの画像情報の受信を全て自動的に行うことができる。
【００４８】
更に、これら機器同士の無線通信接続、画像情報の転送状況が照明機器１０３の照明色及び照明形態で把握できるため、ユーザにとって使い勝手の良いものとなる。
【００４９】
次に本実施の形態に係る照明機器１０３の動作を説明する。
【００５０】
図５は、本実施の形態に係る照明機器１０３の動作を説明するフローチャートで、この処理を実行するＣＰＵ３２０のメモリ３２０ａに記憶されており、ＣＰＵ３２０の制御の下に実行される。
【００５１】
まずステップＳ２１で、ＳＴＢ１０２からのカメラ検知要求を受信するとステップＳ２２に進み、デジタルカメラ１０４の検知を開始する。次にステップＳ２３で、デジタルカメラ１０４が無線通信可能領域１０５に置かれて、デジタルカメラ１０４との間で無線通信が可能になったかどうかを調べる。デジタルカメラ１０４と無線による通信が可能になるとステップＳ２４に進み、デジタルカメラ１０４を検知した旨をＳＴＢ１０２に通知する。そしてステップＳ２５では、ＳＴＢ１０２からカメラ検知の終了指示が送られきているかを調べ、カメラ検知終了が送られてきていないときはステップＳ２６に進み、デジタルカメラ１０４が検知できているかどうかをみる。カメラが検知できなくなるとステップＳ２７に進み、ＳＴＢ１０２に対してカメラ１０４が検知できないことを通知してステップＳ２３に戻る。またステップＳ２５で、カメラの検知の終了指示を受信している場合はステップＳ３０に進み、これ以降はデジタルカメラ１０４の検知処理を実行しない。
【００５２】
またステップＳ２６で、カメラ１０４が検知できている場合はステップＳ２８に進み、デジタルカメラ１０４よりデータを受信したかどうかをみる。データを受信したときはステップＳ２９に進み、ＳＴＢ１０２に通知する。これはデジタルカメラ１０４とＳＴＢ１０２との間での直接の無線通信が確立されていない状態で、デジタルカメラ１０４とＳＴＢ１０２との間でのデータ交換を実行させるためのものである。次にステップＳ３０に進み、ＳＴＢ１０２からのデータを受信したかどうかをみる。データを受信するとステップＳ３１に進み、それに応じた照明機器１０３の制御（照明色の変更、点滅、輝度変更、消灯など）或はデジタルカメラ１０４へのデータ送信（例えば、ＷＬＡＮによる無線通信要求）を行ってステップＳ２５に進む。
【００５３】
このようにして、本実施の形態に係る照明機器１０３は、ＳＴＢ１０２からの指示に応じてその照明の色を変更したりして、無線による通信状況を報知することができる。
【００５４】
次に本実施の形態に係るデジタルカメラ１０４の動作を説明する。
【００５５】
図６は、本実施の形態に係るデジタルカメラ１０４の動作を説明するフローチャートで、この処理を実行するカメラ制御部１１に記憶されており、カメラ制御部１１のＣＰＵの制御の下に実行される。
【００５６】
まずステップＳ４１で、照明機器１０３との無線通信を行うために無線通信部１８を起動する。次にステップＳ４２で、照明機器１０３との無線通信が可能な領域１０５に置かれると、照明機器１０３との間で無線通信が可能になる。デジタルカメラ１０４が照明領域１０５に入り、照明機器１０４からの照射光が検知されるとステップＳ４３に進み、照明機器１０３との間での無線通信の確立を行う。そしてステップＳ４４で、ＳＴＢ１０２から照明機器１０３を介したＷＬＡＮによる接続要求を受信するのを待つ。ＷＬＡＮでの接続要求を受信するとステップＳ４５に進み、ＷＬＡＮによるＳＴＢ１０２との間での無線通信を開始する。そしてステップＳ４６で、ＳＴＢ１０２との無線通信が確立するとステップＳ４７に進み、ＳＴＢ１０２からの要求に従って、記憶媒体２０に記憶している画像情報を読み出してＳＴＢ１０２に送信する。こうしてステップＳ４７での画像情報の送信が完了するとステップＳ４８に進み、ＷＬＡＮによる無線通信を停止する。
【００５７】
尚、この実施の形態に係るデジタルカメラ１０４の表示部２２には、照明機器１０３との間の接続確立中、或は転送実行中に「接続確立中」、「データ転送実行中」等のメッセージを表示するようにしても良い。
【００５８】
またこのとき、照明機器１０３のライトの色や点滅周期と表示部２２の表示との同期させることにより、照明機器１０３と連動して動作していることをユーザにより明瞭に明示するようにしても良い。また、デジタルカメラから照明機器１０３の照明の色を変更したり、点滅を行ったしても構わない。例えば、デジタルカメラが図６のステップＳ４４でWLAN接続要求を受信したときに、電池の残容量が少なかった場合等に、WLANによる接続が不可と判断する。そして、接続が不可であると判断した場合には、照明に対して発光色を赤の点滅にするように指示することによって、ユーザーにエラーを通知するようにしても良い。
【００５９】
このように本実施の形態によれば、デジタルカメラ１０４を照明機器１０３との無線通信が可能な領域に置くだけで、デジタルカメラ１０４に記憶されている画像データを自動的にＳＴＢ１０２に送信してすることができる。そして送信した画像を表示パネル（ディスプレイ）１０１に表示させることができる。
【００６０】
この際、デジタルカメラ１０４とＳＴＢ１０２との間での画像データの送信状況、及び無線通信の確立などが照明機器１０３による照明により明瞭に明示されるため、ユーザは、各機器の状態を容易に把握できる。
【００６１】
［他の実施形態］
無線アンテナに指向性を持たせることは難しいため、第１の無線通信手段のZigBeeに代えて、例えばＩｒＤＡ（IrBUS）を使用しても良い。ＩｒＢＵＳは、赤外線を使用するため指向性が高い。また通信距離は６〜８ｍであるため、居間の天井などに取り付けた場合でも床までの距離をカバーできる。この場合の無線通信の接続手順などは前述の実施の形態と同様にしてできる。
【００６２】
上述の実施の形態では、デジタルカメラ１０４の記憶媒体２０に記憶されている画像情報を全てＳＴＢ１０２に送信して表示させるようにしたが、本発明はこれに限定されない。例えばデジタルカメラ１０４から記憶媒体２０に記憶されている画像のインデックス（ファイル名や撮影日時などの属性情報を含む）を伝送してディスプレイ１０１に表示する。そして、リモコン３１６を使用してユーザが表示したい画像データを選択し、その選択された画像情報だけをカメラ１０４に要求してＳＴＢ１０２に伝送させて表示するようにしても良い。
【００６３】
また本実施の形態では、ＳＴＢ１０２からのカメラ検知指示に応じて照明機器がカメラの検知を開始し、またデジタルカメラとＳＴＢとの無線通信は、ＳＴＢが照明機器を介してデジタルカメラに要求して行うようにしたが本発明はこれに限定されるものでない。例えば照明機器は常時カメラの検知を行うようにしても良く、或はデジタルカメラとＳＴＢとの無線通信は、互いに無線接続が検知された後、いずれかからの画像転送要求に基づいて実行されても良い。
【００６４】
［実施の形態２］
前述の実施の形態１では、デジタルカメラ１０４が無線通信可能な領域１０５に進入すると、デジタルカメラ１０４の記憶部に記憶されている画像情報がＳＴＢ１０２に送信され、ＳＴＢ１０２はその画像データを受信してＨＤＤ３０３に記憶していた。この後、必要に応じてディスプレイ１０１に表示するようにしてもよいが、そのためには予めユーザがＳＴＢ１０２又はディスプレイ１０１に対して、送信後の画像データの処理方法を設定するなどの操作が必要である。本実施の形態２では、ユーザが送信した画像データの処理方法を簡単に指定できるようにする。
【００６５】
図７は、本発明の実施の形態２に係る表示システムにおける照明機器とデジタルカメラの配置を説明する図である。
【００６６】
図において、４０１は照明機器、４０６はデジタルカメラを示している。ここで照明機器４０１は、実施の形態１に係る照明機器１０３と同様に、デジタルカメラ４０６との無線通信が可能な領域を照射している。但し、本実施の形態２に係る照明機器４０１は２つの光源４０２，４０３を備えており、光源４０２による照射領域を４０４、光源４０３による照明領域を４０５で示している。
【００６７】
照明機器４０１は、無線通信手段（ZigBee）を備え、前述の実施の形態１の場合と同様に、デジタルカメラ４０６とＳＴＢ１０２との間でそれぞれ異なるチャネルを使用して無線通信を行うことができる。また、デジタルカメラ４０６との通信に使うチャネルは通信領域が居間の一部分に限定されるように構成されている。また照明領域４０４と照明領域４０５はともに、デジタルカメラ４０６が照明機器４０１やＳＴＢ１０２と無線通信可能な領域に含まれている。
【００６８】
照明機器４０１は、デジタルカメラ４０６との無線通信の接続確立待ち状態では、光源４０２，４０３のそれぞれに対して異なる照明の色で点灯するように制御する。
【００６９】
図８は、本発明の実施の形態２に係るデジタルカメラ４０６の構成を示すブロック図である。尚、実施の形態１に係るデジタルカメラ１０４の構成を示す図２の構成と共通する部分は同じ記号で示し、その説明を省略する。
【００７０】
光センサ２３は、このデジタルカメラ４０６の筐体の上部に設けられており、照明機器４０１から照射される光を検出している。ここでは照射されている照明色（光源色）を認識するものとする。
【００７１】
図９は、本実施の形態２に係る照明機器４０１の構成を説明するブロック図で、前述の実施の形態１に係る照明機器１０３（図３）と共通する部分は同じ記号で示している。
【００７２】
前述したように、この照明機器４０１は光源４０２と光源４０３を備え、これら光源４０２，４０３のそれぞれはＣＰＵ３２０の制御により、それぞれ異なる色の光を発光でき、また或は、それぞれ異なる点滅発光を行うことが可能である。
【００７３】
また本実施の形態２に係るＳＴＢ１０２の構成は、前述の実施の形態１に係るＳＴＢ１０２の構成（図３）とほぼ同様である。
【００７４】
次に各機器の動作について説明する。
【００７５】
図１０は、本発明の実施の形態２に係るＳＴＢ１０２の動作を説明するフローチャートで、この処理を実行するプログラムはメモリ３０５に記憶されておりＭＰＵ３０１の制御の下に実行される。
【００７６】
この処理はＳＴＢ１０２の電源がオンされることにより開始され、まずステップＳ５１で照明機器４０１に対してデジタルカメラ４０６が無線通信可能領域４０４或は４０５に置かれたかどうかを検知するカメラ検知処理を開始するように指示する。次にステップＳ５２で、照明機器４０１の光源４０２を青色で点灯するように指示し、ステップＳ５３で、照明機器４０１の光源４０３を黄色で点灯するように指示する。そしてステップＳ５４で照明機器４０１によりデジタルカメラ４０６が検知されるのを待つ。
【００７７】
本実施の形態２では、照明機器４０１の発光色を青色と黄色の２色とし、ユーザが青色の照射領域４０４にデジタルカメラ４０６を置くと、そのデジタルカメラ４０６から受信した画像データをＨＤＤ３０３に記憶する。一方、ユーザが黄色の照射領域４０５にデジタルカメラ４０６を置くと、そのデジタルカメラ４０６から受信した画像データをディスプレイ１０１にスライドショーとして表示するように対応づけられているものとする。このように、互いに異なる発光色の照射領域４０４，４０５のいずれにカメラ４０６を置くかにより、そのカメラ４０６からの画像データの処理方法を指定できる。
【００７８】
これにより例えば、ディスプレイ１０１でテレビ番組を視聴中のときは、光源４０２だけを青色で点灯しておく。これにより現在は、ユーザに対して画像データの保存動作だけが可能で、ディスプレイ１０１を使用して、その画像を観ることができないことをユーザに知らせることができる。
【００７９】
次にステップＳ５４でカメラ４０６が検知されるとステップＳ５５に進み、デジタルカメラ４０６との間で第２の無線通信手段（ＷＬＡＮ）による通信を行うように照明機器４０１に要求する。
【００８０】
本実施の形態２では、デジタルカメラ４０６は、照射されている照明光の色を光センサ２３により認識して、その認識した色情報を照明機器４０１を介してＳＴＢ１０２に送信する。これによりＳＴＢ１０２は、その受信した色情報に基づいて、画像データの処理方法を決定する。照明色と起動するアプリケーションの対応はユーザが予めＳＴＢ１０２に対して設定しておくことも可能である。
【００８１】
こうしてＳＴＢ１０２とデジタルカメラ４０６との間で第２の無線通信手段（ＷＬＡＮ）による無線通信が確立するとステップＳ５６からステップＳ５７に進み、照明機器４０１を介してデジタルカメラ４０６が認識した色情報を受信する。次にステップＳ５８で、照明機器４０１に対してデジタルカメラ４０６の検知処理を終了するように通知する。次にステップＳ５９で、その照明されている光の色情報を調べ、青色の場合はステップＳ６０に進み、照明機器４０１に対して光源４０２を点滅するように指示する。これによりユーザは、デジタルカメラ４０６とＳＴＢ１０２との間でＷＬＡＮによる無線通信が確立され、更に、画像データをＨＤＤ３０３に記憶する準備ができたことを認識できる。また、このときスライドショーの実行ができないことを示すために、ステップＳ６１で照明機器４０１に対して光源４０３（黄色）の点灯を停止するように指示する。次にステップＳ６２で、ＳＴＢ１０２は、ＷＬＡＮを介してデジタルカメラ４０６に対して画像データを要求する。これによりステップＳ６３でデジタルカメラ４０６からＳＴＢ１０２へ画像データの送信が開始され、受信した画像データをＨＤＤ３０３に記憶する。
【００８２】
一方、ステップＳ５９で色情報が黄色の場合ステップＳ６４に進み、照明機器４０１に対して光源４０３の点滅を行うように指示する。これによりユーザはデジタルカメラ４０６とＳＴＢ１０２との間でＷＬＡＮによる無線通信が確立され、さらに画像データのスライドショーの動作が準備できたことを認識できる。また、このとき画像データをＨＤＤ３０３に記憶しないことを示すために、ステップＳ６５で照明機器４０１に対して光源４０２（青色）の点灯を停止するように指示する。そしてステップＳ６６で、ＷＬＡＮを介して、ＳＴＢ１０２からデジタルカメラ４０６に対して画像データを要求する。これによりステップＳ６７でデジタルカメラ４０６からの画像データの送信が開始される。ＳＴＢ１０２は、受信した画像データをディスプレイ１０１を使用してスライドショーを実行する。
【００８３】
こうしてステップＳ６３で画像データのＨＤＤ３０３への記憶動作、或はステップＳ６７でのスライドショー動作が終了するとステップＳ６８に進み、照明機器４０１に対して光源の点滅を停止するように指示する。そしてステップＳ６９で、照明機器４０１に対してデジタルカメラ４０６が無線通信可能領域に置かれているかどうかの検知動作を開始させる。但し、このとき光源４０２及び光源４０３は点灯を停止している。次にステップＳ７０で、デジタルカメラ４０６が無線通信可能領域に置かれている場合は、デジタルカメラ４０６が無線通信可能領域から取り除かれるのを待つ。デジタルカメラ４０６が無線通信可能領域から取り除かれると、ステップＳ７０で照明機器４０１からデジタルカメラ４０６の退出イベントを受信する。これによりステップＳ５２に戻り、光源４０２を青色で点灯し、光源４０３を黄色で点灯し、ステップＳ５４のデジタルカメラ４０６の検知動作を再開する。
【００８４】
このようにカメラ４０６からの画像データの受信を完了した後、デジタルカメラ４０６が無線通信可能領域から取り除かれまでは次の動作を移行しないようにしている。これは、デジタルカメラ４０６が無線通信可能領域に置かれ続けた場合、画像データの送信動作を繰り返すのを防止するためである。
【００８５】
このようにして、デジタルカメラ４０６からＳＴＢ１０２に画像データを送信した後のＳＴＢ１０２における画像データの処理方法を、デジタルカメラ４０６を置く照射領域に応じて簡単に切り替えることができる。このため、ユーザが照明領域にデジタルカメラ４０６をおくときに、カメラの釦を押したりメニューで設定したりするなどの、特別な操作が不要になる。また照明色に応じてデジタルカメラ４０６を置く場所が識別できるために、ユーザにとって使い勝手の良いものとなる。
【００８６】
また、例えば青色の照射領域にデジタルカメラ４０６を置いた場合は、未転送の画像データのみをＳＴＢ１０２に転送し、黄色の照射領域に置いた場合は、全ての画像データを転送するようしても良い。このように照射領域の照明色に応じて、デジタルカメラ４０６からＳＴＢ１０２に送信する画像データの処理方法を切り替えることも可能である。また例えば青色の照射領域にデジタルカメラ４０６を置いた場合は、自動的に全ての画像データをＳＴＢ１０２に送信し、黄色の照射領域に置いた場合は、ユーザが選択した画像データだけをＳＴＢ１０２に送信するようにしてもよい。このように照明色に応じて画像供給の手順を切り替えることも可能である。
【００８７】
次に本実施の形態に係る照明機器４０１の動作を説明する。
【００８８】
図１１は、本発明の実施の形態２に係る照明機器４０１の動作を説明するフローチャートで、この処理を実行するＣＰＵ３２０のメモリ３２０ａに記憶されており、ＣＰＵ３２０の制御の下に実行される。
【００８９】
まずステップＳ８１で、ＳＴＢ１０２からのカメラ検知要求を受信するとステップＳ８２に進み、デジタルカメラ４０６の検知を開始する。次にステップＳ８３でデジタルカメラ４０６が無線通信可能領域に置かれて、デジタルカメラ４０６と照明機器４０１との間で無線通信が可能になったかどうかを調べる。無線による通信が可能になるとステップＳ８６に進み、デジタルカメラ４０６を検知した旨をＳＴＢ１０２に通知する。一方、デジタルカメラ４０６と無線通信可能になったかどうかを調べるのと同時に、ステップＳ８４でＳＴＢ１０２からのデータを受信したかどうかをみる。データを受信するとステップＳ８５に進み、それに応じた照明機器４０１の制御（照明色の変更、光源４０２，４０３の点灯、点滅、輝度変更、消灯など）を行う。
【００９０】
ステップＳ８６の後、ＳＴＢ１０２からカメラ検知の終了指示が送られてきているかを調べ、カメラ検知終了が送られてきている場合はステップＳ８８に進み、これ以降はデジタルカメラ４０６の検知処理を実行しない。カメラ検知終了が送られてきていない場合は、ステップＳ８９に進み、デジタルカメラ４０６よりデータを受信したかどうかをみる。データを受信したときはステップＳ９０に進みＳＴＢ１０２に通知する。このようにして、デジタルカメラ４０６が照射されている照明色を認識して、認識した色情報を照明機器４０１を介してＳＴＢ１０２に送信する。ステップＳ８９でデジタルカメラ４０６よりデータを受信していない場合はステップＳ９１に進み、ＳＴＢ１０２からデータを受信したかどうかをみる。データを受信するとステップＳ９２に進み、それに応じた照明機器４０１の制御（照明色の変更、光源４０２，４０３の点灯、点滅、輝度変更、消灯など）或はデジタルカメラ４０６へのデータ送信（例えばＷＬＡＮによる無線通信要求）を行う。
【００９１】
ステップＳ９１でＳＴＢ１０２からデータを受信していない場合はステップＳ９３に進み、カメラ退出検知の開始指示が送られてきているかを調べる。このカメラ検知の開始指示は、前述したように、ＳＴＢ１０２がデジタルカメラ４０６から画像データを受信して、ＨＤＤ３０３に記憶したりスライドショーを実行し終わったりした場合に発行される。これはＳＴＢ１０２において画像データの受信動作が完了した後、一度、デジタルカメラ４０６が無線通信可能領域から取り除かれたかどうかを調べる目的で行われる。
【００９２】
ステップＳ９３でカメラ検知の開始指示があった場合はステップＳ９４に進み、デジタルカメラ４０６の検知を開始する。次にステップＳ９５で、デジタルカメラ４０６が無線通信可能領域に置かれているかどうかを調べ、無線通信可能領域から取り除かれた場合はステップＳ９６に進み、デジタルカメラ４０６が無線通信可能領域から退出した旨をＳＴＢ１０２に通知する。その後再びステップＳ８１に戻り、ＳＴＢ１０２からのデジタルカメラの検知要求の受信待ち状態に移行する。
【００９３】
次に本実施の形態２に係るデジタルカメラ４０６の動作を説明する。
【００９４】
図１２は、本発明の実施の形態２に係るデジタルカメラ４０６の動作を説明するフローチャートで、この処理を実行するカメラ制御部１１に記憶されており、カメラ制御部１１のＣＰＵの制御の下に実行される。
【００９５】
まずステップＳ１０１で、照明機器４０１との無線通信を行うために無線通信部１８を起動する。次にステップＳ１０２で、照明機器４０１との無線通信が可能な領域に置かれて、照明機器４０１との間で無線通信が可能になったかどうかを判定する。ここで照明機器４０１との間で無線通信が可能になるとステップＳ１０３に進み、デジタルカメラ４０６の光センサ２３により、照明機器４０１から照射されている照明色（光源色）の検知を開始する。ここでは、デジタルカメラ４０６が青色の照射領域４０４に置かれている場合は青色の光を認識し、黄色の照射領域４０５に置かれている場合は黄色の光を認識する。次にステップＳ１０４で、光源色の認識に成功するとステップＳ１０５に進み、照明機器４０１との間での無線通信の確立を行う。この後ステップＳ１０５で、ＳＴＢ１０２から照明機器４０１を介した照明色情報の取得要求を受信すると、ステップＳ１０４で認識した照明色の色情報を照明機器４０１を介してＳＴＢ１０２に送信する。そしてステップＳ１０６で、ＳＴＢ１０２から照明機器４０１を介したＷＬＡＮによる接続要求を受信するのを待つ。ＷＬＡＮでの接続要求を受信するとステップＳ１０７に進み、ＷＬＡＮによるＳＴＢ１０２との間での無線通信を開始する。そしてステップＳ１０８で、ＳＴＢ１０２との無線通信が確立するとステップＳ１０９に進み、ＳＴＢ１０２からの要求に従って、記憶媒体２０に記憶している画像データを読み出してＳＴＢ１０２に送信する。こうしてステップＳ１０９での画像データの送信が完了するとステップＳ１１０に進み、ＷＬＡＮによる無線通信を停止する。
【００９６】
以上説明したように本実施の形態２によれば、デジタルカメラ４０６が認識した照明色情報をＳＴＢ１０２に送信することによって、ＳＴＢ１０２では照明色に応じて画像データの処理方法を切り替えることが可能である。
【００９７】
また、ステップＳ１０４で光源色の認識に成功した場合にのみ、ＳＴＢ１０２からのＷＬＡＮによる接続要求を受付けることができるようにしている。このため、無線アンテナに指向性を持たせることが難しいという問題によって、デジタルカメラ４０６の無線通信可能な領域が照明機器４０１の照射領域４０４，４０５よりも広くなってしまうような場合でも対処できる。即ち、デジタルカメラ４０６が確実に照明の照射領域内に置かれるため、デジタルカメラ４０６とＳＴＢ１０２とのＷＬＡＮによる無線通信が開始することができて、ユーザの意図どおりの動作を実現することができる。
【００９８】
また本実施の形態２の構成に加えて、図７で光源４０２による照射領域４０４と、光源４０３による照射領域４０５が一部重なるようにしても良い。この場合、照射領域４０４と照射領域４０５が重なった領域にデジタルカメラ４０６が置かれた場合は、デジタルカメラの光センサ２３は青色と黄色の２種類の光の色を認識する。その場合は、画像データのＨＤＤ３０３への記憶と、ディスプレイを用いたスライドショーの両方の動作を行うようにしても良く、また或は、全く異なる別の処理（例えば、サムネイル画像を用いたインデックス表示等）を実行しても良い。
【００９９】
また本実施の形態２によれば、デジタルカメラ４０６を照射している光の色を光センサ２３で検知して、その色情報に応じてＳＴＢ１０２での画像データの処理方法を切り替えていた。他の実施の形態として、デジタルカメラ４０６の撮像部１２を使って、照明機器４０１を検知し、更に、デジタルカメラ４０６が置かれている照射領域に対応する光源の光源色を検知するようにしても良い。
【０１００】
また他の実施の形態として、照明機器４０１の光源４０２及び光源４０３の照射領域の形状が互いに異なるようにして、デジタルカメラ４０６の撮像部１２を使って、デジタルカメラ４０６が置かれている照射領域に対応する光源の発光領域の形を検知しても良い。このとき、認識した照射領域の形状情報を基に、ＳＴＢ１０２が画像データの処理方法を切り替えるようにする。
【０１０１】
また他の実施の形態として、照明機器４０１の光源４０２及び光源４０３の発光周期が互いに異なるようにしても良い。例えば、光源４０２は青色の光を１Ｈｚ周期で発光し、光源４０３が黄色の光を０．７Ｈｚ周期で発光する。このときユーザは照射領域の色によってデジタルカメラ４０６をどちらの照射領域に置いたらよいかを判断する。デジタルカメラ４０６が光源による１Ｈｚの点滅信号、或は０．７Ｈｚの点滅信号を認識すると、その認識した発光周期情報を照明機器４０１を介してＳＴＢ１０２に送信する。これによりＳＴＢ１０２は、その発光周期情報を基に画像データの処理方法を切り替えるようにする。
【０１０２】
また他の実施の形態として、照明機器４０１の光源４０２及び光源４０３の照射光がデジタルカメラ４０６を置く高さでちょうど結像するようにし、さらに結像した照射光の形状、或はパターン形状が互いに異なるようにしても良い。こうして認識した照射光の形状、或はパターン形状情報を基に、ＳＴＢ１０２が画像データの処理方法を切り替えるようにする。
【０１０３】
尚上記の実施例では、照明の色や形状など照明形態に応じた照明手段を用意したが、１つの照明手段で複数種類の照明形態を提供しても良い。つまり、1つの照明手段で、青色や赤色などの複数の色を切り替えながら発光しても良い。又は、異なる複数マスク形状を照明手段とともに備え、1つの照明手段で、複数種類の照射形状の照明を提供できるようにしても良い。また、照明手段の点滅周期を長くしたり短くしたり、切換え可能にしてもよい。
【０１０４】
本実施の形態では、デジタルカメラ４０６とＳＴＢ１０２が画像データをＨＤＤ３０３に記憶している間、或は画像データのスライドショー動作を行っている間は、他のデジタルカメラからＳＴＢ１０２に画像データを転送することができないようにした。これに対して、複数台のデジタルカメラとＳＴＢ１０２間で同時に画像データの転送ができるようにしても良い。この場合、例えば１台目のデジタルカメラが青色の照射領域に置かれて画像データの転送を開始した後は、照明機器４０１が新たな光源を点灯して、照射領域４０４，４０５に隣接して青色の照射領域を生成する。こうして、その領域に２台目のデジタルカメラを置いて、同時に画像データを転送できることをユーザに示すようにしてもよい。
【０１０５】
また本実施の形態２では、ＳＴＢ１０２がデジタルカメラ４０６から受信した色情報から画像データの処理方法を決定していた。他の実施形態としてデジタルカメラ４０６が色情報により画像データの処理方法を決定して、その処理方法に関するメッセージをＳＴＢ１０２に送信しても良い。また他の実施形態として、照明機器４０１が色情報から画像データの処理方法を決定しても良い。即ち、デジタルカメラ４０６から色情報を受信し、その色情報に応じて、処理方法に関するメッセージをＳＴＢ１０２に送信しても良い。
【０１０６】
また、デジタルカメラ４０６が送信する画像データの送信先はＳＴＢ１０２に限らず、無線通信手段を備えたプリンタであっても良い。その場合、プリンタの電源が入っている場合には、照明機器４０１が別の光源を使って照射領域４０４，４０５に隣接して緑色の照射領域を生成する。そしてユーザがデジタルカメラ４０６を、その緑色の照射領域に置くことにより、デジタルカメラ４０６からプリンタに対して画像データを送信して印刷させても良い。
【０１０７】
また、照射領域４０４，４０５において、照射光が結像するように構成して、照射領域にデジタルカメラ４０６を置いた場合の画像データの処理方法を結像イメージによって文字で表示したり、アイコンで表示したりするようにしてもよい。それによって、その照射領域にデジタルカメラを置いた場合の画像データの処理方法をユーザがより容易に認識することが可能である。
【０１０８】
以上、本発明の実施の形態を詳述したが、本発明は、複数の機器から構成されるシステムに適用しても良いし、または一つの機器からなる装置に適用しても良い。
【０１０９】
なお本発明は、前述した実施の形態の機能を実現するソフトウェアプログラムを、システム或いは装置に直接或いは遠隔から供給し、そのシステム或いは装置のコンピュータが、供給されたプログラムを読み出して実行することによっても達成される場合を含む。その場合、プログラムの機能を有していれば、その形態はプログラムである必要はない。従って、本発明の機能処理をコンピュータで実現するために、該コンピュータにインストールされるプログラムコード自体も本発明を実現するものである。つまり、本発明には、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【０１１０】
プログラムを供給するための記憶媒体は、例えば、フロッピー（登録商標）ディスク、ハードディスク、光ディスク、光磁気ディスク、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
その他のプログラムの供給方法としては、クライアントコンピュータのブラウザを用いてインターネット介して、本発明のコンピュータプログラムそのもの、もしくは圧縮され自動インストール機能を含むファイルをハードディスク等の記憶媒体にダウンロードすることによっても供給できる。
また本発明のプログラムを構成するプログラムコードを複数のファイルに分割し、それぞれのファイルを異なるホームページからダウンロードすることによっても実現可能である。つまり本発明の機能処理をコンピュータで実現するためのプログラムファイルを複数のユーザに対してダウンロードさせるＷＷＷサーバも、本発明のクレームに含まれるものである。
【０１１１】
また、本発明のプログラムを暗号化してＣＤ−ＲＯＭ等の記憶媒体に格納してユーザに配布してもよい。
この場合、所定の条件を満足するユーザに対してインターネットを介してホームページから暗号化を解く鍵情報をダウンロードさせ、その鍵情報を使用することにより暗号化されたプログラムを実行してコンピュータにインストールさせて実現することも可能である。
【０１１２】
また、読み出したプログラムの指示に基づき、コンピュータ上で稼動しているＯＳなどが、実際の処理の一部または全部を行ない、その処理によっても前述した実施形態の機能が実現され得る。
【０１１３】
さらに、上述のプログラムが、コンピュータに接続された機能拡張ユニットに備わるメモリに書き込まれた後、そのプログラムの指示に基づき、その機能拡張ユニットに備わるＣＰＵなどが実際の処理の一部または全部を行い、その処理によっても前述した実施形態の機能が実現される。
【０１１４】
以上説明したように本実施の形態によれば、以下のような効果がある。
（１）デジタルカメラの無線による通信可能エリアが照明により示されているので、ユーザの意図に反して無線による通信が開始されてしまうのを回避できる。
（２）通信中、接続待機中などの通信状況を容易に把握できる。
（３）照明機器の照明領域に応じてデジタルカメラの設置場所を設定できるので、カメラの設置場所に対する制約を少なくできる。
（４）照明機器は天井とは限らず、ライティングレールを使用したり、壁や机の上、またクリップで任意の位置に留めることができるなど自由度が高い。
（５）無線機能付き照明機器は安価に製造でき、複数の照明機器を備えれば複数の無線通信可能領域を設定できる。
（６）デジタルカメラの無線通信の設定を、無線通信可能エリアに入ると自動的に無線ＬＡＮの通信手段が起動されるように設定しておけば、ユーザの操作を少なくして画像情報をＳＴＢ１０２に転送することができる。
（７）送信後の画像データの処理方法や、画像供給デバイスに保持されている画像データのうち、どの画像データを送信するかというような送信画像データの指定をユーザが容易に指示できる。
（８）送信後の画像データの処理方法を文字で表示したり、アイコンで表示したりすることによって、照射領域にデジタルカメラを置いた場合の画像データの処理方法をユーザがより容易に認識することができる。
（９）通信エリアにはいった時に自動的に無線ＬＡＮの通信手段が起動されて画像ファイルの転送が行える。即ち，無線ＬＡＮなどの消費電力の大きい通信手段を常時稼動状態にする必要がない。ZigBeeやIrBUSといった消費電力の少ない通信手段を常時稼動状態にすることによって、少ない消費電力で自動的に無線による画像ファイルの転送が開始するように構成できる。
【図面の簡単な説明】
【０１１５】
【図１】本実施の形態を説明する図である。
【図２】本実施の形態に係るデジタルカメラの構成を示すブロック図である。
【図３】本実施の形態に係るＳＴＢと照明機器との構成を説明するブロック図である。
【図４】本実施の形態に係るＳＴＢの動作を説明するフローチャートである。
【図５】本実施の形態に係る照明機器の動作を説明するフローチャートである。
【図６】本実施の形態に係るデジタルカメラの動作を説明するフローチャートである。
【図７】本発明の実施の形態２に係る表示システムにおける照明機器とデジタルカメラの配置を説明する図である。
【図８】本発明の実施の形態２に係るデジタルカメラの構成を示すブロック図である。
【図９】本実施の形態２に係る照明機器の構成を説明するブロック図である。
【図１０】本発明の実施の形態２に係るＳＴＢの動作を説明するフローチャートである。
【図１１】本発明の実施の形態２に係る照明機器の動作を説明するフローチャートである。
【図１２】本発明の実施の形態２に係るデジタルカメラの動作を説明するフローチャートである。
【図１】
2006166406.tif 000003
【図２】
2006166406.tif 000004
【図３】
2006166406.tif 000005
【図４】
2006166406.tif 000006
【図５】
2006166406.tif 000007
【図６】
2006166406.tif 000008
【図７】
2006166406.tif 000009
【図８】
2006166406.tif 000010
【図９】
2006166406.tif 000011
【図１０】
2006166406.tif 000012
【図１１】
2006166406.tif 000013
【図１２】
2006166406.tif 000014